(57)【要約】【課題】液晶パネル１５０の駆動を制御する駆動制御回路１００にコマンドを発行するＣＰＵ２０におけるプログラミングが煩雑となるのを回避する。【解決手段】電気光学的な変化により表示を行う液晶パネル１５０と、ＣＰＵ２０からクロックＣＬＫに同期して供給されるコマンドＣｍｄに応じた制御を実行するとともに、液晶パネル１５０の駆動を制御する駆動制御回路１００とを備える。駆動制御回路１００は、コマンドの処理に必要なクロック数をコマンド毎に予め対応付けて記憶したテーブルを表示制御回路１２０内に有し、コマンドが供給されたときに、当該コマンドの処理に必要なクロック数をテーブルから取得し、取得したクロック数のクロックＣＬＫｂを、ＣＰＵ２０からコマンドとともに供給されるクロックＣＬＫに付加する。【選択図】図１
2006301587.tif 000002
【特許請求の範囲】
【請求項１】
上位装置からクロックに同期して供給されるコマンドに応じた内容の処理を実行すると
ともに、電気光学的な変化により表示を行う表示パネルの駆動を制御する駆動制御回路で
あって、
コマンドの処理に必要なクロック数をコマンド毎に予め対応付けて記憶したテーブルを
有し、
前記上位装置からコマンドが供給されたときに、当該コマンドの処理に必要なクロック
数を前記テーブルから取得し、
取得したクロック数のクロックを生成して、供給されたコマンドに応じた処理を実行す
る
ことを特徴とする電気光学装置の駆動制御回路。
【請求項２】
前記上位装置からコマンドとともに供給されるクロックの代替えとなる代替クロックを
生成する代替クロック生成回路を有し、
前記上位装置からコマンドが供給されたときに、前記テーブルから取得したクロック数
分の前記代替クロックを、前記上位装置から供給されたクロックに付加する
ことを特徴とする請求項１に記載の電気光学装置の駆動制御回路。
【請求項３】
前記コマンドに対する前記代替クロックの付加を許可または禁止する論理回路を有する
ことを特徴とする請求項２に記載の電気光学装置の駆動制御回路。
【請求項４】
上位装置からクロックに同期して供給されるコマンドに応じた内容の処理を実行すると
ともに、電気光学的な変化により表示を行う表示パネルの駆動を制御する駆動制御回路で
あって、
前記駆動制御回路は、
コマンドの処理に必要なクロック数をコマンド毎に予め対応付けて記憶したテーブルと
、
前記上位装置から供給されるコマンドを処理するための代替クロックを生成する代替ク
ロック生成回路とを有し、
前記上位装置からコマンドが供給されたときに、供給されたコマンドに対応するクロッ
ク数を前記テーブルから取得し、
取得したクロック数分の代替クロックを用いて、供給されたコマンドに応じた処理を実
行する
ことを特徴とする電気光学装置の駆動制御回路。
【請求項５】
電気光学的な変化により表示を行う表示パネルと、
上位装置からクロックに同期して供給されるコマンドに応じた制御を実行するとともに
、前記表示パネルの駆動を制御する駆動制御回路と
を有する電気光学装置の駆動制御方法であって、
前記上位装置からコマンドが供給されたときに、当該コマンドの処理に必要なクロック
数を、コマンドの処理に必要なクロック数をコマンド毎に予め記憶したテーブルから取得
し、
取得したクロック数のクロックを生成して、供給されたコマンドに応じた処理を実行す
る
ことを特徴とする電気光学装置の駆動制御方法。
【請求項６】
電気光学的な変化により表示を行う表示パネルと、
上位装置からクロックに同期して供給されるコマンドに応じた制御を実行するとともに
、前記表示パネルの駆動を制御する駆動制御回路と
を有する電気光学装置であって、
前記駆動制御回路は、
コマンドの処理に必要なクロック数をコマンド毎に予め対応付けて記憶したテーブルを
有し、
前記上位装置からコマンドが供給されたときに、当該コマンドの処理に必要なクロック
数を前記テーブルから取得し、
取得したクロック数のクロックを生成して、供給されたコマンドに応じた処理を実行す
る
ことを特徴とする電気光学装置。
【請求項７】
クロックに同期してコマンドを出力する上位装置と、
電気光学的な変化により表示を行う表示パネルと、
前記上位装置から供給されるコマンドに応じた制御を実行するとともに、前記表示パネ
ルの駆動を制御する駆動制御回路と
を有する電子機器であって、
前記駆動制御回路は、
コマンドの処理に必要なクロック数をコマンド毎に予め対応付けて記憶したテーブルを
有し、
前記上位装置からコマンドが供給されたときに、当該コマンドの処理に必要なクロック
数を前記テーブルから取得し、
取得したクロック数のクロックを生成して、供給されたコマンドに応じた処理を実行す
る
ことを特徴とする電子機器。
【請求項８】
上位装置からクロックに同期してコマンド及びパラメータが供給され、前記コマンドに
応じて前記パラメータに対する処理を実行して表示パネルの駆動を制御する駆動制御回路
であって、
前記上位装置から供給されたコマンドの処理に必要なクロック数をコマンド毎に予め対
応付けて記憶したテーブルと、
前記上位装置から前記コマンドと共に供給されるクロックの前記上位装置からの供給が
停止したことを判別する判別回路と、
前記判別回路の判別結果によって前記上位装置からのクロックの供給が停止したことが
示されると、前記テーブルから当該コマンドの処理に必要なクロック数を取得し、取得し
たクロック数分の付加クロックを発生するクロック発生手段と、を具備し、
前記上位装置からのクロック及び前記クロック発生手段からの付加クロックを用いて、
前記上位装置から供給されたコマンドに応じて前記パラメータを処理する
ことを特徴とする電気光学装置の駆動制御回路。
【請求項９】
前記判別回路は、前記上位装置から前記コマンドと共に供給されるクロックが所定期間
入力されない場合に、前記クロックの供給停止と判別することを特徴とする請求項８に記
載の電気光学装置の駆動回路。
【請求項１０】
前記判別回路は、前記上位装置から前記コマンドの次のコマンドが入力されることによ
り、前記コマンドと共に供給されるクロックの供給停止と判別することを特徴とする請求
項８に記載の電気光学装置の駆動回路。
【発明の詳細な説明】
【技術分野】
【０００１】
本発明は、ＣＰＵなどの上位装置からクロックとともに供給されるコマンドにしたがっ
て制御を行う技術に関する。
【背景技術】
【０００２】
近年、上位装置から表示データの供給を受けるとともに、各種の制御を指示するコマン
ドを受信し、当該コマンドに応じて表示等を制御する表示制御装置が知られている（特許
文献１参照）。
【特許文献１】特開２００４−１５１２２２号公報
【発明の開示】
【発明が解決しようとする課題】
【０００３】
しかしながら、この技術は、コマンドに応じてリフレッシュレートを変更するもの、す
なわち、画素への書き込みレートを変更するものである。コマンドは所定のクロックと同
期して供給されるが、各種のコマンドで指示される制御内容は千差万別であるので、制御
に要する時間もコマンド毎に異なる。
【０００４】
このため、コマンドとともに、当該コマンドを処理するためのクロックを供給する構成
では、上位装置のプログラミングにおいて、駆動制御回路に対してコマンドを発行する場
合に、当該駆動制御回路が当該コマンドを処理するのに要するクロックを、どれだけの期
間にわたって供給する必要あるのかについて、常に意識しなければならなくなる。したが
って、上位装置のプログラミングが煩雑となる、という問題があった。
【０００５】
なお、パソコンなどのように処理能力が十分に高ければ、このようなプログラミングの
煩雑性は全く問題とはならないが、携帯電話などのように、携帯性が重視される電子機器
に組み込まれる場合などでは、実装空間や処理能力等にある程度の制限が課せられるので
、このような問題が顕在化する。
【０００６】
本発明は、このような事情に鑑みてなされたもので、その目的とするところは、上位装
置側のプログラミングが煩雑となるのを回避した電気光学装置、駆動制御回路、駆動制御
方法および電子機器を提供することにある。
【課題を解決するための手段】
【０００７】
上記目的を達成するため本発明にあっては、上位装置からクロックに同期して供給され
るコマンドに応じた内容の処理を実行するとともに、電気光学的な変化により表示を行う
表示パネルの駆動を制御する駆動制御回路であって、コマンドの処理に必要なクロック数
をコマンド毎に予め対応付けて記憶したテーブルを有し、前記上位装置からコマンドが供
給されたときに、当該コマンドの処理に必要なクロック数を前記テーブルから取得し、取
得したクロック数のクロックを生成して、供給されたコマンドに応じた処理を実行するこ
とを特徴とする。本発明によれば、駆動制御回路において、供給されたコマンドに必要な
数のクロックが生成されるので、上位装置のプログラミングにおいて、コマンドとクロッ
クとの対応関係を意識しないで済む結果、その分、上位装置側のプログラミングの煩雑性
を回避することが可能となる。
【０００８】
本発明において、前記上位装置からコマンドとともに供給されるクロックの代替えとな
る代替クロックを生成する代替クロック生成回路を有し、前記上位装置からコマンドが供
給されたときに、前記テーブルから取得したクロック数分の前記代替クロックを、前記上
位装置から供給されたクロックに付加する構成が好ましい。
【０００９】
このような構成において、前記コマンドに対する前記代替クロックの付加を許可または
禁止する論理回路を有する構成としても良い。なお、本発明は、電気光学装置の駆動制御
回路のみならず、駆動制御方法としても、電気光学装置、さらには、電子機器としても概
念することが可能である。
【００１０】
また、本発明によれば、上位装置からクロックに同期してコマンド及びパラメータが供
給され、前記コマンドに応じて前記パラメータに対する処理を実行して表示パネルの駆動
を制御する駆動制御回路であって、前記上位装置から供給されたコマンドの処理に必要な
クロック数をコマンド毎に予め対応付けて記憶したテーブルと、前記上位装置から前記コ
マンドと共に供給されるクロックの前記上位装置からの供給が停止したことを判別する判
別回路と、前記判別回路の判別結果によって前記上位装置からのクロックの供給が停止し
たことが示されると、前記テーブルから当該コマンドの処理に必要なクロック数を取得し
、取得したクロック数分の付加クロックを発生するクロック発生手段と、を具備し、前記
上位装置からのクロック及び前記クロック発生手段からの付加クロックを用いて、前記上
位装置から供給されたコマンドに応じて前記パラメータを処理することを特徴とする。
【００１１】
このような構成によれば、上位装置からのパラメータ及びクロックは処理手段に供給さ
れ、処理手段はコマンドに応じてパラメータを処理する。判別手段は上位装置からのクロ
ックの供給が停止したことを判別する。上位装置からのクロックの供給が停止すると、ク
ロック発生手段は、判別結果に基づいて、コマンドの処理に必要なクロック数だけ付加ク
ロックを発生する。上位装置からのクロックが停止すると、付加クロックを用いてパラメ
ータに対する処理を継続する。こうして、パラメータ数が不定の場合でも、処理手段はコ
マンドに応じた処理を継続することができる。
【００１２】
また、本発明の一態様によれば、前記判別回路は、前記上位装置から前記コマンドと共
に供給されるクロックが所定期間入力されない場合に、前記クロックの供給停止と判別す
ることを特徴とする。
【００１３】
このような構成によれば、判別回路は、クロックが所定期間入力されないことによって
、上位装置からのクロックの供給停止を判別することができる。
【００１４】
また、本発明の一態様によれば、前記判別回路は、前記上位装置から前記コマンドの次
のコマンドが入力されることにより、前記コマンドと共に供給されるクロックの供給停止
と判別することを特徴とする。
【００１５】
このような構成によれば、判別回路は、次のコマンドが入力されたことによって、上位
装置からのクロックの供給停止を判別することができる。
【発明を実施するための最良の形態】
【００１６】
以下、本発明の実施の形態について図面を参照して説明する。図１は、本発明の実施形
態に係る電気光学装置の構成を示すブロック図である。
【００１７】
この図に示されるように、電気光学装置１０は、ＣＰＵ２０と駆動制御回路１００とが
、高速シリアル伝送路３０およびバス４０を介して接続されるとともに、駆動制御回路１
００が、Ｙドライバ１３０およびＸドライバ１４０を介して液晶パネル１５０の駆動を制
御する構成となっている。
【００１８】
図１において、ＣＰＵ２０は、所定のプログラムを実行することによって、表示内容を
規定する表示データを高速シリアル伝送路３０に出力する一方、クロックに同期して各種
のコマンドをバス４０に出力する。
【００１９】
駆動制御回路１００において、インターフェイス回路（Ｉ／Ｆ）１０２は、バス４０に
出力された信号をコマンドＣｍｄとクロックＣＬＫとに分離し、コマンドＣｍｄを表示制
御回路１２０に、クロックＣＬＫをセレクタ１０４の入力端ａに、それぞれ供給する。
【００２０】
一方、発振回路１０６は、代替クロックの源信号を生成するものであり、分周回路１０
８は、源信号を分周した代替クロックＣＬＫｂを、セレクタ１０４の入力端ｂおよびカウ
ンタ１１０の入力端にそれぞれ供給する。なお、発振回路１０６および分周回路１０８は
、ＣＰＵ２０とは、図示省略された経路によってコマンドを送出する際のクロックと同期
するように、代替クロックＣＬＫｂを出力する構成となっている。
【００２１】
カウンタ１１０は、表示制御回路１２０によりセットされた値Ｐを、代替クロックＣＬ
Ｋｂの立ち下がりでダウンカウントするものであり、そのカウント結果がＰ以下であって
ゼロよりも大きければ、信号Ｓｅｌ−ｂをＨレベルとし、それ以外であれば信号Ｓｅｌｂ
をＬレベルとして出力する。
【００２２】
セレクタ１０４は、カウンタ１１０から出力される信号Ｓｅｌ−ｂがＨレベルであれば
入力端ｂを選択する一方、信号Ｓｅｌ−ｂがＬレベルであれば入力端ａを選択して、選択
した信号をクロックｓＣＬＫとして出力する。
【００２３】
表示制御回路１２０は、コマンドＣｍｄをデコードするとともに、当該コマンドに応じ
た制御や処理を、クロックｓＣＬＫを用いて実行する。表示制御回路１２０は、また、図
２に示されるように、コマンドＣｍｄを、Ｃｍｄ−１〜Ｃｍｄ−ｍに分類するとともに、
分類毎に挿入値Ｐを予め記憶するテーブルを有している。表示制御回路１２０は、インタ
ーフェイス回路１０２により分離されたコマンドＣｍｄを入力すると、そのコマンドに対
応する挿入値Ｐを当該テーブルから読み出して、カウンタ１１０に出力する。
【００２４】
ほかに、表示制御回路１２０は、高速シリアル伝送路３０を介して入力した表示データ
を、Ｘドライバ１４０に供給するとともに、Ｙドライバ１３０による垂直走査、および、
Ｘドライバ１４０による水平走査を、それぞれ制御する。
【００２５】
なお、デコードしたコマンドが、表示データの補正処理を指定する場合もあり得るので
、この場合、表示制御回路１２０は、補正した表示データをＸドライバ１４０に供給する
。
【００２６】
表示制御回路１２０による制御のもと、Ｙドライバ１３０は、液晶パネル１５０を垂直
走査するものであり、Ｘドライバ１４０は、液晶パネル１５０を水平走査するものである
。なお、Ｘドライバ１４０は、水平走査の際に、表示制御回路１２０から供給される表示
データを、液晶の駆動に適するようにアナログの電圧に変換する。
【００２７】
液晶パネル１５０は、画素がマトリクス状に配列するとともに、各画素がＴＦＴ（Thin
Film Transistor：薄膜トランジスタ）でスイッチングする方式のものである。なお、液
晶パネル１５０については、ＴＦＴに限られず、画素をＴＦＤ（Thin Film Diode：薄膜
ダイオード）でスイッチングする方式のものであっても良いし、これらＴＦＴ、ＴＦＤを
用いないパッシブマトリクス方式のあっても良い。いずれにしても、液晶パネル１５０の
駆動に適するようにＹドライバ１３０およびＸドライバ１４０が選定される。
【００２８】
次に、このような構成に係る電気光学装置１０の動作、特に、セレクタ１０４の選択動
作を中心に説明する。図２は、この選択動作を説明するためのタイミングチャートである
。
【００２９】
この図に示されるように、分周回路１０８からは、代替クロックＣＬＫｂが常時出力さ
れる。この状態では、カウンタ１１０に値Ｐがセットされていないので、信号Ｓｅｌ−ｂ
はＬレベルとなる。このため、セレクタ１０４では、入力端ａが選択されて、ＣＰＵ２０
から供給されるコマンドＣｍｄおよびクロックＣＬＫに備える。
【００３０】
ここで、ＣＰＵ２０からコマンドＣｍｄとして、例えばコマンドＣｍｄ−３が出力され
ると、表示制御回路１２０は、クロックＣＬＫｂの立ち上がりタイミングｔ０において当
該コマンドＣｍｄ−３を受信する。
【００３１】
表示制御回路１２０は、コマンドＣｍｄ−３に必要なクロック数である値Ｐをテーブル
（図２参照）から読み出して、例えばクロックＣＬＫｂの立ち下がるタイミングｔ１にお
いてカウンタ１１０にセットする。このため、カウンタ１１０による信号Ｓｅｌ−ｂがＨ
レベルとなるので、セレクタ１０４では入力端ａから入力端ｂへと選択が切り替わる。
【００３２】
ここで、受信されたコマンドはＣｍｄ−３であるので、図２を参照すれば値Ｐは「２」
である。このため、カウンタ１１０は、代替クロックＣＬＫｂの立ち下がりを２回カウン
トするまで、信号Ｓｅｌ−ｂをＨレベルにする。したがって、セレクタ１０４では入力端
ｂが選択されるので、表示制御回路１２０のクロックｓＣＬＫとして、代替クロックＣＬ
Ｋｂが供給される。
【００３３】
タイミングｔ１より後において、代替クロックＣＬＫｂの立ち下がりが２回カウントさ
れるタイミングｔ２に至ると、カウンタ１１０では、ダウンカウントの結果がゼロとなる
ので、信号Ｓｅｌ−ｂがＬレベルに戻る。このため、セレクタ１０４では、再び入力端ａ
が選択されて、コマンドＣｍｄおよびクロックＣＬＫの供給に備える。
【００３４】
一方、表示制御回路１２０は、セレクタ１０４によって選択された代替クロックＣＬＫ
ａをクロックｓＣＬＫとして用いて、受信したコマンドＣｍｄ−３で指定された内容の制
御を実行する。
【００３５】
このように本実施形態によれば、駆動制御回路１００側がＣＰＵ２０からコマンドＣｍ
ｄを受信すると、当該コマンドＣｍｄに必要なクロック数が表示制御回路１２０のテーブ
ルから読み出されるとともに、読み出された数に応じた分の代替クロックＣＬＫｂがＣＰ
Ｕ２０から供給されるクロックＣＬＫに付加される。
【００３６】
このため、ＣＰＵ２０において、コマンドを発行する際に、当該コマンドを受信するた
めのクロックだけを出力すれば足り、当該コマンドの処理に必要な数のクロックを出力す
る必要がなくなる。このため、ＣＰＵ２０のプログラミングにおいて、コマンドの処理に
必要な数のクロックを意識しないで、コマンドを発行することができるので、その分、Ｃ
ＰＵ２０の側のプログラミングにおける煩雑性が回避される。
【００３７】
次に、上述した実施形態の応用例について説明する。図４は、この構成を示すブロック
図である。この応用例は、実施形態のように、受信したコマンドの処理に必要な数のクロ
ックをテーブルから読み出して付加する第１モードと、ＣＰＵ２０側がコマンドと当該コ
マンドの処理に必要な数のクロックとを供給する第２モードとを切替可能とするものであ
り、図１に示される構成との相違点は、ＣＰＵ２０が、バス４０を介し、モードを指定す
る信号Ｍｏｄを供給する点と、信号Ｍｏｄとカウンタ１１０の出力信号との論理積信号を
信号Ｓｅｌ−ｂとして出力するＡＮＤ回路（論理回路）１１２を設けた点にある。
【００３８】
ここで、信号Ｍｏｄは、上記第１モードであればＨレベルとなり、上記第２モードであ
ればＬレベルとなる。信号ＭｏｄがＨレベルであれば、実施形態のような動作をして、受
信したコマンドの処理に必要な数のクロックが駆動制御回路１００内で付加される一方、
信号ＭｏｄがＬレベルであれば、カウンタ１１０の出力信号にかかわらず、信号Ｓｅｌｂ
がＬレベルとなり、セレクタ１０４における選択が入力端ａに固定される結果、コマンド
とともに供給されたクロックによって、当該コマンドの処理が実行される。
【００３９】
このため、応用例によれば、第１、第２モードのいずれも選択することができるので、駆
動制御回路１００の商品性を向上させることが可能となる。
【００４０】
図６は本発明の他の実施形態を示すブロック図である。図６において図１と同一の構成
要素には同一符号を付して説明を省略する。本実施形態は駆動制御回路２００を用いた点
が図１の実施形態と異なる。
【００４１】
上述した各実施形態においては、入力されたコマンドに対してこのコマンドに付随する
パラメータ数が一定であるものとして説明した。例えば、画像処理を行うコマンドに対し
てその画像処理の対象となるパラメータとして画像データの個数が一定の場合について説
明した。しかしながら、例えば、画面の一部の表示のみを更新する場合等については、画
像処理の対象となる画像データの個数は一定でないことも考えられる。
【００４２】
コマンド及びデータを送出するＣＰＵからは、データ数に応じたクロック数も供給され
る。従って、コマンドに付随するパラメータ数（例えば画像データ数）が異なる場合でも
、画像処理回路においてコマンドの処理に必要なクロック数のみを付加すれば足りる。上
記各実施形態においては挿入値Ｐによってこのクロック数分のクロックの追加を行ってい
る。
【００４３】
しかしながら、パラメータ数が相違する場合には、付加すべきクロックの発生タイミン
グが不定である。そこで、本実施形態は、付加するクロックの発生タイミングを検出して
、適正なタイミングでクロックｓＣＬＫとなる付加クロックを発生させることを可能にす
る。
【００４４】
なお、本実施形態においては、表示制御回路において、コマンドを解釈して、コマンド
に従った出力方法でデータを出力し、画像処理回路において、コマンドに応じた所定の処
理を実行する例について説明する。
【００４５】
図６において、表示制御回路１６０には、ＣＰＵ２０からのコマンドＣｍｄが入力され
ると共に、高速シリアル伝送路３０を介して表示データも入力される。表示制御回路１６
０は、入力されたコマンドＣｍｄをデコードする。表示制御回路１６０には、コマンドの
外に、ＣＰＵ２０から供給される表示データに応じたクロック数だけのクロックＣＬＫも
入力される。
【００４６】
表示制御回路１６０は、入力されたコマンドに応じた出力方法で、入力されたデータ及
びクロックを出力する。例えば、入力コマンドによって、出力データのビット数や表示デ
ータである各色データの出力順等が規定される。
【００４７】
表示制御回路１６０からのデータ及びクロックｓＣＬＫは画像処理回路１７０に与えら
れる。画像処理回路１７０は入力されたクロックｓＣＬＫを用いて、入力されたデータを
処理する。上述したように、ＣＰＵ２０からは表示データに応じたクロック数のクロック
ＣＬＫしか出力されないことから、ＣＰＵ２０からのクロックＣＬＫのみを用いた場合に
は、画像処理回路１７０において、制御に要するクロック数だけ、クロックが不足する。
【００４８】
本実施形態においても、表示制御回路１６０は、コマンドに応じた挿入値Ｐを記憶した
テーブルを有している。画像処理回路１７０において処理に不足するクロック数は、処理
内容、即ち、コマンドに応じて決まっており、挿入値Ｐは不足分のクロック数に相当する
。表示制御回路１６０は、挿入値Ｐを読み出して、画像処理回路１６０において処理に不
足するクロック数の付加クロックを画像処理回路１７０に供給する。
【００４９】
この場合において、表示制御回路１６０は、付加クロックの発生タイミングを判別回路
１６１によって判別する。即ち、表示制御回路１６０の判別回路１６１は、ＣＰＵ２０か
ら転送されるクロックＣＬＫが、所定期間停止したことを検出すると、ＣＰＵ２０からの
クロックＣＬＫに代えて分周回路１０８からのクロックＣＬＫｂを付加クロックとして用
いるための切換信号を発生する。例えば、判別回路１６１は、クロックＣＬＫの出力でリ
セットしながら発振回路１０６の出力クロックをカウントし、カウント値が所定値に到達
したことによって、切換信号を発生する。
【００５０】
表示制御回路１６０は、分周回路１０８からのクロックＣＬＫｂを、切換信号のタイミ
ングに基づいて付加クロックとして出力する。表示制御回路１６０からのクロックＣＬＫ
及び付加クロックを、クロックｓＣＬＫとして画像処理回路１７０に供給するのである。
なお、上述したように、付加クロックのクロック数は、挿入値Ｐに基づくものとする。
【００５１】
画像処理回路１７０は、ＣＰＵ２０からのクロックＣＬＫを用いてコマンドに応じた処
理を実施すると共に、ＣＰＵ２０からのクロックＣＬＫに続けて入力される付加クロック
を用いて処理を継続するようになっている。画像処理回路１７０は、入力されたクロック
を用いて、入力データに対する処理を実行して、Ｘドライバ１４０に出力する。
【００５２】
次に、このように構成された実施形態の動作について図７を参照して説明する。図７（
ａ）はＣＰＵ２０からのクロックＣＬＫを示し、図７（ｂ）は発振回路１０６の出力を示
し、図７（ｃ）は判別回路１６１からの切換信号を示し、図７（ｄ）は分周回路１０８か
らのクロックＣＬＫｂを示し、図７（ｅ）は表示制御回路１６０からのクロックｓＣＬＫ
を示している。
【００５３】
いま、ＣＰＵ２０からコマンド、表示データ及びクロックが発生するものとする。デー
タは高速シリアル伝送路３０を介して表示制御回路１６０に供給される。コマンドＣｍｄ
及びクロックＣＬＫは、表示制御回路１６０に供給される。表示制御回路１６０は、コマ
ンドＣｍｄを解釈し、コマンドに従ってデータ及びクロックを画像処理回路１７０に供給
する。
【００５４】
ＣＰＵ２０からのクロックＣＬＫは、コマンドＣｍｄのパラメータである表示データの
数に応じた個数だけ入力される。図７（ａ）は、ＣＰＵ２０からのクロックＣＬＫの最後
の２個のクロックを示している。
【００５５】
判別回路１６１は、図７（ｂ）に示す発振回路１０６の出力をカウントする。判別回路
１６１はＣＰＵ２０からのクロックＣＬＫによってカウント出力をリセットする。判別回
路１６１はカウント出力が所定の閾値、例えば“７”に到達すると、ローレベルからハイ
レベルに変化する切換信号を発生する（図７（ｃ））。
【００５６】
表示制御回路１６０には分周回路１０８から図７（ｄ）に示すクロックＣＬＫｂも入力
されている。表示制御回路１６０は、テーブルからコマンドＣｍｄに対応する挿入値Ｐを
読み出し、切換信号のタイミングで、クロックＣＬＫｂを用いて挿入値Ｐの数だけ付加ク
ロックを発生する。こうして、表示制御回路１６０は、クロックＣＬＫに続けて付加クロ
ックを付加したクロックｓＣＬＫを出力する（図７（ｅ））。
【００５７】
画像処理回路１７０には、コマンドＣｍｄのパラメータである表示データの数に対応し
たクロックＣＬＫと、コマンドＣｍｄの処理に要するクロック数に対応した付加クロック
とが連続的に入力されることになり、画像処理回路１７０はこれらのクロックｓＣＬＫを
用いて表示データの処理を行う。画像処理回路１７０は処理後のデータをＸドライバ１４
０に供給する。
【００５８】
このように本実施形態においては、判別回路によってクロック入力が停止したことを検
出して、コマンドに応じた数の付加クロックを発生させており、コマンドに付随するパラ
メータの数が不定である場合であっても、確実にデータの処理及び出力が可能である。
【００５９】
なお、図６の実施形態においては、判別回路は、付加クロックの発生タイミングをクロ
ック入力の停止を検出することで判別したが、他の方法を採用してもよい。例えば、ＣＰ
Ｕ２０はクロックＣＬＫの送出が終了した後に、次のコマンドを送出するようになってい
る。従って、表示制御回路は、クロックＣＬＫの停止を検出することなく、次のコマンド
が入力されたことを検出することによって、前のコマンドに付随したパラメータに対応し
た付加クロックを発生させるようにしてもよい。
【００６０】
なお、上述した実施形態や応用例では、電気光学装置１０として液晶パネル１５０を用
いた液晶表示装置を例示したが、本発明は、これに限られない。例えば有機ＥＬ素子や、
無機ＥＬ素子、フィールド・エミッション（ＦＥ）素子、ＬＥＤ、さらには、エレクトロ
・クロミック素子などにも適用可能である。
【００６１】
次に、上述した電気光学装置１０を有する電子機器について説明する。図５は、電気光
学装置１０を用いた携帯電話１２００の構成を示す斜視部である。
【００６２】
この図に示されるように、携帯電話１２００は、複数の操作ボタン１２０２のほか、受
話口１２０４、送話口１２０６とともに、上述した液晶パネル１５０を備えるものである
。電気光学装置１０のうち、液晶パネル１５０以外の構成要素については電話器に内蔵さ
れるので、外観としては現れない。
【００６３】
なお、電気光学装置１０が適用される電子機器としては、図５に示される携帯電話の他
にも、デジタルスチルカメラや、ノートパソコン、液晶テレビ、ビューファインダ型（ま
たはモニタ直視型）のビデオレコーダ、カーナビゲーション装置、ページャ、電子手帳、
電卓、ワードプロセッサ、ワークステーション、テレビ電話、ＰＯＳ端末、タッチパネル
を備えた機器等などが挙げられる。そして、これらの各種電子機器の表示装置として、上
述した電気光学装置１０が適用可能であることは言うまでもない。
【図面の簡単な説明】
【００６４】
【図１】本発明の実施形態に係る電気光学装置の全体構成を示すブロック図である。
【図２】同電気光学装置におけるテーブルの内容を示す図である。
【図３】同電気光学装置の動作を示すタイミングチャートである。
【図４】実施形態に係る液晶表示装置の応用構成を示すブロック図である。
【図５】実施形態に係る液晶表示装置を用いた携帯電話の構成を示す図である。
【図６】本発明の他の実施形態に係る電気光学装置の全体構成を示すブロック図である。
【図７】図６の実施形態の動作を説明するためのタイミングチャートである。
【符号の説明】
【００６５】
１０…電気光学装置、２０…ＣＰＵ、１００…駆動制御回路、１０４…セレクタ、１０
６…発振回路、１０８…分周回路（１０６、１０８により代替クロック生成回路）、１１
０…カウンタ、１２０…表示制御回路、１３０…Ｙドライバ、１４０…Ｘドライバ、１５
０…液晶パネル、１２００…携帯電話。  
【図１】
2006301587.tif 000003
【図２】
2006301587.tif 000004
【図３】
2006301587.tif 000005
【図４】
2006301587.tif 000006
【図５】
2006301587.tif 000007
【図６】
2006301587.tif 000008
【図７】
2006301587.tif 000009